(57)【要約】      （修正有）【課題】製作工程全般の能率の大幅な向上を図ると共に、照明したときに導光板に形成した光拡散手段が面発光部分に見えないようにする商品見本展示装置を提供する。【解決手段】商品見本の保持手段１７として、透光性を有する材料をもって導光板１６とは別体の枠体として成形すると共に商品見本の保持用突片１９Ａ、１９Ｂを差し込んで保持する切欠部１７Ａ′、１７Ｂ′を設けたものとする。更にその枠内に、展示装置におけるものにおける光拡散シートよりも相当に厚い、所定の厚味を有する光拡散ボード部１８を一体的に形成する。支持基板１１の下縁の枠部１１Ｂ内に、ＬＥＤ１４、１４・・・を所定の間隔で設けたＬＥＤ基板１５を配設する。また、支持基板１１の上下縁の枠部１１Ａ、１１Ｂ内に導光板１６を嵌め入れると共に、該導光板１６の前面に商品見本１９の数に対応する個数の商品見本の保持手段１７を並列させて固定する。【選択図】図２
0003152967.tif 000002
【実用新案登録請求の範囲】
【請求項１】
ＬＥＤランプと、該ＬＥＤランプからの光を側面から入射して前面に面発光する導光板と、該導光板の前面に配する光拡散シートとをもって照明部とし、前記導光板の前面に、透光性を有し、周縁部に保持用突片を形成してなる商品見本の保持手段を備えてなる自動販売機用商品見本展示装置において、前記商品見本の保持手段として、透光性を有する材料をもって前記導光板とは別体の枠体として成形すると共に商品見本の保持用突片を差し込んで保持する切欠部を設け、該導光板の前面に適宜の手段をもって固定するようになした商品見本の保持手段とし、更に該商品見本の保持手段における枠部内に、前記光拡散シートよりも相当に厚い、所定の厚味を有する光拡散ボード部を一体的に形成したことを特徴とする自動販売機用商品見本展示装置。
【請求項２】
商品見本の保持手段を、商品見本毎に個々に独立して保持するように単体として構成し、該商品見本の保持手段を所要数導光板の前面に並列して固定するようになした請求項１記載の自動販売機用商品見本展示装置。
【考案の詳細な説明】
【技術分野】
【０００１】
本考案は自動販売機用商品見本展示装置に関するものである。
【背景技術】
【０００２】
自動販売機の外扉の前面には商品見本の展示スペースが設けられ、この展示スペースに透光性を有する商品見本が並置されている。そして、該商品見本は背面側に設置された照明装置によって背後から照明されるようになっている。そしてまた、斯かる商品見本の照明装置は、照明用の光源としてＬＥＤランプと導光板とを組み合わせたものが用いられている。
【０００３】
しかし、従来の商品見本の照明装置は、商品見本を背後から照明するものであるが、照明装置と商品見本との間に空間があり、両者が離れていることから、照明装置による照明が減じられて商品見本の明るさについて充分な満足が得られないという問題点があった。
【０００４】
そこで、本出願人は、先に特許文献１に示す通りの、ＬＥＤランプと導光板とをもって構成する照明部の前面に、直接的に商品見本を保持し、照明部による照明が直近から商品見本に照射されるようになして、従来に比してはるかに明るくすることができるようになし、加えて磁石その他の適宜の止着固定手段を用いて既存の自動販売機における展示スペース内の壁面に簡単に着脱することができるようになした自動販売機用商品見本展示装置を提案した。
【先行技術文献】
【特許文献】
【０００５】
【特許文献１】実用新案登録第３１４４３９３号公報
【０００６】
斯かる特許文献１に示す装置は、図１０乃至図１２に示す通りであり、該図において、１は自動販売機用商品見本展示装置である。２は前記自動販売機用商品見本展示装置１における照明部である。また、該照明部２は、複数のＬＥＤランプ３、３、３・・・と、該ＬＥＤランプ３、３、３・・・からの光を側面から入射して前面に面発光する導光板４とをもって構成している。また、該照明部２は、前記導光板４として前面又は背面に光を拡散させる多数の凹部４ａ、４ａ、４ａ・・・を形成した導光板を用い、且つ該導光板４の背面に光反射シート５を取着すると共に該導光板４の前面に光拡散シート６を取着して構成している。尚、前記ＬＥＤランプ３、３、３・・・はＬＥＤ基板３Ａに所定間隔で設けられ、また該ＬＥＤ基板３Ａは取付枠３Ｂをもって前記導光板４の下部に固着されている。尚、前記導光板４としては、前面又は背面に印刷によってドット状に光拡散材を塗布した導光板としてもよい。
【０００７】
７は商品見本の保持手段であり、前記導光板４の前面に、保持する商品見本９に対応する数の枠部７Ａ、７Ａ、７Ａ・・・を設け、該枠部７Ａ、７Ａ、７Ａ・・・に、商品見本９の周縁部に形成された保持用突片９Ａ、９Ｂを差し込んで保持する切欠部８を設けることによって構成している。尚、前記枠部７Ａは、図示した如く導光板４の前面に窪みを形成して設けてもよいし、或いは導光板４とは別体の枠体を該導光板４の前面に一体的に接着してもよい。また、前記透光性を有する商品見本９の周縁部に形成された保持用突片９Ａ、９Ｂは、保持用突片９Ａは両側縁部の中央からやや上部寄りの位置に、また保持用突片９Ｂは両側縁部の下部に夫々形成されている。
【考案の概要】
【考案が解決しようとする課題】
【０００８】
上記自動販売機用商品見本展示装置１は、所期の目的とするところを充分に達成することができるものであるが、本出願人は、実際にこれを製品化する際において、より一層製作効率を上げることができると共に機能の点においても向上を図ることができるようになした改良点を見い出した。
【０００９】
それは、上記自動販売機用商品見本展示装置１において、光拡散シート６を導光板４の前面に取着することに伴う問題点である。即ち、光拡散シート６の導光板４の前面への取着は、該光拡散シート６の周縁部を導光板４の前面に粘着テープ（図示せず。）をもって固定することによって行うが、該肉圧の薄い光拡散シート６を皺がないように完全に偏平に伸ばした状態においてその向きや位置を揃えて所定位置に正確に固定することは、窪みの中の狭いスペース内での作業（手作業）であることに加えて粘着テープの扱いが難しいこと等から、きわめて手間と時間のかかる作業となる。そして、該光拡散シート６は、商品見本に対応する数の枠内の全てに順次固定しなければならない。したがって、この光拡散シート６の取着作業が製作工程全般の能率に大きな影響を及ぼしていた。また、該光拡散シート６はその肉厚がきわめて薄いことから、照明したときに、導光板４に形成した光拡散手段が、ドット状に面発光部分全体にかなり鮮明に見えるという問題点もある。この場合には商品見本をくっきりと且つまたすっきりと見せることができずに見栄えが悪く、展示装置としての商品価値を低下させることになる。
【００１０】
本考案は上記の点に鑑みなされたものであって、本出願人が先に提案した上記展示装置による効果に加えて、該展示装置における製作能率上の問題点であった光拡散シートの導光板の前面への取着作業を不要とし、もってこれに要する多大な手間と時間をなくしたことによる製作工程全般の能率の大幅な向上を図ることができると共に、照明したときに、導光板に形成した光拡散手段が、面発光部分全体にかなり鮮明に見えるという問題点をも解消することができるようになした自動販売機用商品見本展示装置を提供しようとするものである。
【課題を解決するための手段】
【００１１】
而して、本考案の要旨とするところは、ＬＥＤランプと、該ＬＥＤランプからの光を側面から入射して前面に面発光する導光板と、該導光板の前面に配する光拡散シートとをもって照明部とし、前記導光板の前面に、透光性を有し、周縁部に保持用突片を形成してなる商品見本の保持手段を備えてなる自動販売機用商品見本展示装置において、前記商品見本の保持手段として、透光性を有する材料をもって前記導光板とは別体の枠体として成形すると共に商品見本の保持用突片を差し込んで保持する切欠部を設け、該導光板の前面に適宜の手段をもって固定するようになした商品見本の保持手段とし、更に該商品見本の保持手段における枠部内に、前記光拡散シートよりも相当に厚い、所定の厚味を有する光拡散ボード部を一体的に形成したことを特徴とする自動販売機用商品見本展示装置にある。
【００１２】
また、上記構成において、商品見本の保持手段を、商品見本毎に個々に独立して保持するように単体として構成し、該商品見本の保持手段を所要数導光板の前面に並列して固定するようになしてもよい。
【考案の効果】
【００１３】
本考案は上記の如き構成であるから、本出願人が先に提案した上記展示装置による効果に加えて、該展示装置における製作能率上の問題点であった光拡散シートの導光板の前面への取着作業を不要とし、もってこれに要する多大な手間と時間をなくしたことによる製作工程全般の能率の大幅な向上を図ることができるものである。また、照明したときに、導光板に形成した光拡散手段が、面発光部分全体にかなり鮮明に見えるという問題点をも解消することができるものである。
【図面の簡単な説明】
【００１４】
【図１】本考案の実施形態に係る自動販売機用商品見本展示装置の斜視図である。
【図２】同分解斜視図である。
【図３】支持基板の前面側から看た斜視図である。
【図４】支持基板の背面側から看た斜視図である。
【図５】支持基板の側枠の前面側から看た斜視図である。
【図６】支持基板の側枠の背面側から看た斜視図である。
【図７】ＬＥＤランプを所定間隔で設けたＬＥＤ基板の斜視図である。
【図８】商品見本の保持手段の前面側から看た斜視図である。
【図９】商品見本の保持手段の背面側から看た斜視図である。
【図１０】本出願人が先に提案した自動販売機用商品見本展示装置の部分正面図である。
【図１１】図１０中Ａ−Ａ線断面図である。
【図１２】同分解断面図である。
【考案を実施するための形態】
【００１５】
以下、本考案を実施するための形態について、図面を参照して説明する。
【００１６】
図中、１０は自動販売機用商品見本展示装置である。１１は長方形の支持基板であり、上縁と下縁に夫々前面側に折曲して枠部１１Ａ、１１Ｂを形成している。また、該支持基板１１の両側部には側枠１２、１３を着脱可能に取り付けている。
【００１７】
１４、１４、１４・・・はＬＥＤランプであり、ＬＥＤ基板１５に所定の間隔で設けられている。そしてまた、該ＬＥＤ基板１５は前記支持基板１１における下縁側の枠部１１Ｂ内に配設されている。そして、該ＬＥＤランプ１４、１４、１４・・・と、下記導光板並びに商品見本の保持手段に一体的に形成した光拡散ボード部とをもって照明部が構成される。
【００１８】
１６は導光板であり、前記ＬＥＤランプ１４、１４、１４・・・からの光を側面（本実施形態にあっては下部側面）から入射して前面に面発光するものであり、前記本出願人が先に提案した商品見本展示装置におけるものと同様のものである。また、該導光板１６は、前記支持基板１１の上下縁の枠部１１Ａ、１１Ｂ内に前方から嵌め入れるものである。
【００１９】
１７は商品見本の保持手段であり、透光性（本実施形態にあっては半透明）を有する材料をもって前記導光板１６とは別体の枠体として成形している。また、本実施形態にあっては、商品見本毎に個々に独立して保持するように単体として構成しており、前記支持基板１１の上下縁の枠部１１Ａ、１１Ｂ内に前方から嵌め入れるものである。尚、この嵌め入れる商品見本の保持手段７の数は、展示する商品見本の数に対応させるものであり、前記導光板１６の前面に並列させて固定するものである。そしてまた、該商品見本の保持手段１７は、その枠部１７Ａ内に、本出願人が先に提案した展示装置における光拡散シートよりも相当に厚い所定の厚味を有する光拡散ボード部１８を一体的に形成している。尚、これはプラスチック射出成形等によって容易に実施することができる。また、該商品見本の保持手段１７における枠部１７Ａには、商品見本１９の周縁部に形成された保持用突片１９Ａ、１９Ｂを差し込んで保持する切欠部１７Ａ′、１７Ｂ′を設けている。
【００２０】
而して、本実施形態において前記商品見本１９を保持するときには、予め支持基板１１の上下縁の枠部１１Ａ、１１Ｂ内に商品見本の保持手段１７を嵌め入れて支持基板１１の側部に側枠１２、１３を取り付けるものである。その後、該商品見本１９の胴部を両側から若干押しつぶした状態において商品見本の保持手段１７の枠部１７Ａ内に入れ、先ず下にずらして保持用突片１９Ｂ、１９Ｂを枠部１７Ａの下側の切欠部１７Ｂ′、１７Ｂ′内に差し込み、その後手を緩めて商品見本１９の復元弾性力によって保持用突片１９Ａ、１９Ａを枠部１７Ａの高さ方向の途中部の切欠部１７Ａ′、１７Ａ′に差し込む。そして、最後に支持基板１１の側部に側枠１２、１３を取り付けるものである。また、商品見本を取り外すときには、前記と逆の手順にて行うものである。これにより、商品見本１９は照明部における導光板１６の前面に、直接的に保持されるものである。
【００２１】
そして、本実施形態においては、商品見本の保持手段１７に光拡散ボード部１８を一体的に形成しているから、商品見本の保持手段１７を支持基板１１の上下縁の枠部１１Ａ、１１Ｂ内に嵌め入れて固定すれば、自然に該光拡散ボード部１８が導光板１６の前面に位置することになる。したがって、本出願人が先に提案した展示装置における製作能率上の問題点であった光拡散シートの導光板の前面への取着作業を不要とし、もってこれに要する多大な手間と時間をなくしたことによる製作工程全般の能率の大幅な向上を図ることができるものである。また、該光拡散ボード部１８は前記光拡散シートよりも相当に厚い、所定の厚味を有するから、照明したときに、導光板１６に形成した光拡散手段が、面発光部分に殆ど見えないものである。
【符号の説明】
【００２２】
１０  自動販売機用商品見本展示装置
１１  支持基板
１１Ａ、１１Ｂ  枠部
１２、１３  側枠
１４、１４、１４  ＬＥＤランプ
１５  ＬＥＤ基板
１６  導光板
１７  商品見本の保持手段
１７Ａ  枠部
１７Ａ′、１７Ｂ′  切欠部
１８  光拡散ボード部
１９  商品見本
【図１】
0003152967.tif 000003
【図２】
0003152967.tif 000004
【図３】
0003152967.tif 000005
【図４】
0003152967.tif 000006
【図５】
0003152967.tif 000007
【図６】
0003152967.tif 000008
【図７】
0003152967.tif 000009
【図８】
0003152967.tif 000010
【図９】
0003152967.tif 000011
【図１０】
0003152967.tif 000012
【図１１】
0003152967.tif 000013
【図１２】
0003152967.tif 000014